(57)【要約】【課題】ブラインド等の遮蔽手段の揺れを抑制することが可能な窓構造を提供する。【解決手段】開口部１１に設けられた内倒し窓１３０と、内倒し窓１３０の開放に伴って出現するように形成され、開口部１１に設けられたブラインド２０のボトムレール２３（下端部）と接触可能な載置部１４１ｂと、を具備した。【選択図】図５
2017066633.tif 000002
【特許請求の範囲】
【請求項１】
開口部に設けられた開閉窓と、
前記開閉窓の開放に伴って出現するように形成され、前記開口部に設けられた遮蔽手段の下端部と接触可能な接触部と、
を具備する窓構造。
【請求項２】
前記接触部は、
前記遮蔽手段の下端部に対して下方から嵌合可能な凹状に形成されている、
請求項１に記載の窓構造。
【請求項３】
前記開閉窓は、
前記開口部における下部に設けられている、
請求項１又は請求項２に記載の窓構造。
【請求項４】
前記接触部は、
開放された前記開閉窓の上端部と略同一の高さに形成されている、
請求項１から請求項３までのいずれか一項に記載の窓構造。
【請求項５】
前記開口部に設けられた窓枠と、
前記開閉窓と前記窓枠とを連結すると共に前記開閉窓の開放の度合いを規制する連結部と、
をさらに具備し、
前記接触部は、
前記連結部に形成されている、
請求項１から請求項４までのいずれか一項に記載の窓構造。
【請求項６】
前記開閉窓は、
内倒し窓である、
請求項１から請求項５までのいずれか一項に記載の窓構造。
【発明の詳細な説明】
【技術分野】
【０００１】
本発明は、室内を換気または通風するための窓構造の技術に関する。
【背景技術】
【０００２】
従来、室内を換気または通風するための窓構造の技術は公知となっている。例えば、特許文献１に記載の如くである。
【０００３】
特許文献１には、廊下を挟んで左右に配置された２つの部屋（室）を有する建物において、当該２つの部屋の天井部に亘って形成されたチャンバーと、チャンバーと外部とを連通可能な開閉ガラリと、チャンバーと２つの部屋とを連通可能な開閉ガラリと、２つの部屋と外部とを連通可能な開閉窓と、を設ける技術が開示されている。
【０００４】
このように構成することで、自然風を開閉ガラリや開閉窓から建物内に効果的に取り入れることができ、当該建物内を換気または通風することができる。
【先行技術文献】
【特許文献】
【０００５】
【特許文献１】特開平７−２９２７９４号公報
【発明の概要】
【発明が解決しようとする課題】
【０００６】
しかしながら、一般的なオフィスビル等では、開閉窓に遮光や目隠しのためにブラインド等の遮蔽手段を設けることがある。例えば、特許文献１に記載の建物の開閉窓にブラインドを設けた場合、当該開閉窓を通過する自然風によってブラインドが揺らされ、騒音が発生するおそれがある点で改善の余地がある。
【０００７】
本発明は以上の如き状況に鑑みてなされたものであり、その解決しようとする課題は、遮蔽手段の揺れを抑制することが可能な窓構造を提供することである。
【課題を解決するための手段】
【０００８】
本発明の解決しようとする課題は以上の如くであり、次にこの課題を解決するための手段を説明する。
【０００９】
即ち、窓構造は、開口部に設けられた開閉窓と、前記開閉窓の開放に伴って出現するように形成され、前記開口部に設けられた遮蔽手段の下端部と接触可能な接触部と、を具備するものである。
【００１０】
また、前記接触部は、前記遮蔽手段の下端部に対して下方から嵌合可能な凹状に形成されていることとしてもよい。
このような構成により、遮蔽手段の揺れを効果的に抑制することができる。
【００１１】
また、前記開閉窓は、前記開口部における下部に設けられていることとしてもよい。
このような構成により、開口部の上部を遮蔽手段で覆いながら、開閉窓を開放することができる。
【００１２】
また、前記接触部は、開放された前記開閉窓の上端部と略同一の高さに形成されていることとしてもよい。
このような構成により、遮蔽手段の揺れを効果的に抑制することができる。
【００１３】
また、窓構造は、前記開口部に設けられた窓枠と、前記開閉窓と前記窓枠とを連結すると共に前記開閉窓の開放の度合いを規制する連結部と、をさらに具備し、前記接触部は、前記連結部に形成されていることとしてもよい。
このような構成により、連結部を用いて接触部を形成することで、部品の兼用を図ることができ、ひいてはコストの削減を図ることができる。
【００１４】
また、前記開閉窓は、内倒し窓としてもよい。
このような構成により、進入してくる空気の流れを斜め上方に向けることができ、屋内の快適性を向上させることができる。
【発明の効果】
【００１５】
遮蔽手段の揺れを抑制することができる。
【図面の簡単な説明】
【００１６】
【図１】（ａ）窓構造及びその周辺の構造の概略を示す正面図。（ｂ）Ａ−Ａ断面図（側面断面図）。
【図２】窓構造を示す側面断面拡大図。
【図３】内倒し窓を開き始めた状態を示した側面断面拡大図。
【図４】内倒し窓が開いた状態を示した側面断面拡大図。
【図５】内倒し窓を開いたままブラインドを使用する様子を示した側面断面拡大図。
【図６】変形例に係る載置部を示した側面断面拡大図。
【発明を実施するための形態】
【００１７】
以下の説明においては、図中に記した矢印に従って、前後方向、左右方向及び上下方向をそれぞれ定義する。
【００１８】
まず、図１を用いて、本実施形態に係る窓構造１００及びその周辺の構造の概略について説明する。
【００１９】
建物（例えば、オフィスビル等）の壁１０には、内部（屋内）と外部（屋外）とを連通する矩形状の開口部１１が形成される。なお、本実施形態においては、壁１０の前方が屋内、後方が屋外であるものとする。開口部１１には、窓構造１００が設けられる。具体的には、開口部１１に窓枠１１０が設けられる。窓枠１１０により規定される開口の上部には、開閉不能なＦＩＸ窓１２０が設けられる。窓枠１１０により規定される開口の下部には、開閉可能な内倒し窓１３０が設けられる。
【００２０】
また、当該ＦＩＸ窓１２０及び内倒し窓１３０の前方には、ブラインド２０が設けられる。なお、図１（ａ）においてはブラインド２０の図示を省略している。本実施形態に係るブラインド２０は、例えばいわゆるベネシャンブラインド（横型ブラインド）である。ブラインド２０は、主としてヘッドボックス２１、スラット２２及びボトムレール２３を具備する。
【００２１】
ヘッドボックス２１は、窓枠１１０の上部（ＦＩＸ窓１２０の前方）に固定される。ヘッドボックス２１の下方には、図示せぬラダーコードによって、複数のスラット２２が上下に並んだ状態で支持される。スラット２２の下方にはボトムレール２３が配置され、前記ラダーコードの下端が当該ボトムレール２３に固定される。
【００２２】
ヘッドボックス２１には図示せぬ操作棒が設けられる。当該操作棒を回動操作することで、前記ラダーコードを介してスラット２２を回転させ、当該スラット２２の姿勢（角度）を調節することができる。またヘッドボックス２１には図示せぬ昇降コードが設けられる。当該昇降コードを操作することで、スラット２２及びボトムレール２３を昇降させることができる。
【００２３】
ブラインド２０は、ＦＩＸ窓１２０及び内倒し窓１３０全体を前方から覆うことができるように、当該ＦＩＸ窓１２０及び内倒し窓１３０の幅と略同一の左右幅か、これよりも広い左右幅を有するように形成される。また、ブラインド２０を最も下降させた状態で、ボトムレール２３は窓枠１１０の下部近傍に位置するように形成される。
【００２４】
以下では、図１及び図２を用いて、窓構造１００の詳細な構成について説明する。
【００２５】
窓構造１００は、主として窓枠１１０、ＦＩＸ窓１２０、内倒し窓１３０及び連結部１４０を具備する。
【００２６】
窓枠１１０は、壁１０に形成された開口部１１に沿うように設けられる枠体である。窓枠１１０は、主として横枠１１１、縦枠１１２及び無目１１３を具備する。
【００２７】
横枠１１１は、長手方向を左右方向に向けて配置される板状の部材である。横枠１１１は、開口部１１の上端及び下端に沿うように、上下一対設けられる。横枠１１１の前後方向幅は、壁１０（開口部１１）の前後方向幅と略同一となるように形成される。
【００２８】
縦枠１１２は、長手方向を上下方向に向けて配置される板状の部材である。縦枠１１２は、開口部１１の左端及び右端に沿うように、左右一対設けられる。縦枠１１２の前後方向幅は、壁１０（開口部１１）の前後方向幅と略同一となるように形成される。
【００２９】
無目１１３は、長手方向を左右方向に向けて配置される板状の部材である。無目１１３の両端は、左右の縦枠１１２にそれぞれ固定される。無目１１３の前後方向幅は、横枠１１１及び縦枠１１２の前後方向幅よりも狭くなるように形成される。無目１１３は、縦枠１１２の上下中央よりも下方に固定される。また無目１１３は、縦枠１１２の前後中央よりも後方に固定される。
【００３０】
このようにして、横枠１１１及び縦枠１１２によって、正面視矩形状の開口部分を有する枠が形成される。また当該開口部分は、無目１１３によって上下に区画される。無目１１３は縦枠１１２の上下中央よりも下方に設けられているため、当該無目１１３の上方の開口部分よりも下方の開口部分の方が小さくなる。
【００３１】
ＦＩＸ窓１２０は、開閉することができない、いわゆるはめ殺しの窓（固定窓）である。ＦＩＸ窓１２０は、正面視矩形状の障子にガラスが固定されることで形成される。ＦＩＸ窓１２０は、無目１１３の上方の開口部分を塞ぐように、窓枠１１０に固定される。このようにして、ＦＩＸ窓１２０は開口部１１の上端部から下方に向かって所定の範囲に亘るように配置され、当該開口部１１の上部及び上下中央部を塞ぐことになる。
【００３２】
内倒し窓１３０は、開閉可能な窓である。内倒し窓１３０は、正面視矩形状の障子にガラスが固定されることで形成される。内倒し窓１３０は、無目１１３の下方の開口部分を塞ぐように、窓枠１１０に取り付けられる。このようにして、内倒し窓１３０は開口部１１の下端部から上方に向かって所定の範囲に亘るように配置され、当該開口部１１の下部を塞ぐことになる。内倒し窓１３０の下端部は、蝶番１３１を介して窓枠１１０（下側の横枠１１１）に連結される（図２参照）。これによって、内倒し窓１３０は、当該蝶番１３１を中心として前方に傾動可能となる。なお、図２には、内倒し窓１３０が鉛直に配置された状態、すなわち閉じられた状態を示している。
【００３３】
連結部１４０は、窓枠１１０と内倒し窓１３０とを連結すると共に当該内倒し窓１３０の傾動を所定の位置で規制するものである。なお、連結部１４０は、内倒し窓１３０の左右両側部にそれぞれ設けられる。当該２つの連結部１４０は左右対称に構成されるため、以下では、一方（右方）の連結部１４０の構成についてのみ説明する。図２に示すように、連結部１４０は、主として第一アーム１４１、第二アーム１４２及び連結軸１４３を具備する。
【００３４】
第一アーム１４１は、略矩形板状に形成されるものである。第一アーム１４１の一端（上端）は、第一回動軸１４１ａを介して窓枠１１０（右側の縦枠１１２）に前後に回動可能に連結される。第一回動軸１４１ａは、上下方向において無目１１３よりもやや下方に設けられる。第一アーム１４１には、載置部１４１ｂが形成される。
【００３５】
載置部１４１ｂは、ブラインド２０のボトムレール２３を載置するための部分である。載置部１４１ｂは、第一アーム１４１の一部分を切り欠くようにして形成される。より具体的には、載置部１４１ｂは、第一アーム１４１の長手方向に沿った２つの辺（長辺）のうち前側の辺を、側面視矩形状に切り欠くように形成される。このようにして載置部１４１ｂは、第一アーム１４１の一辺に、側面視凹状となるように形成される。載置部１４１ｂの幅（第一アーム１４１の長手方向に沿った幅）は、ブラインド２０のボトムレール２３の前後幅と略同一となるように形成される。
【００３６】
第二アーム１４２は、略矩形板状に形成されるものである。第二アーム１４２の一端（上端）は、第二回動軸１４２ａを介して内倒し窓１３０の右側部に前後に回動可能に連結される。第二回動軸１４２ａは、内倒し窓１３０の上端部近傍に設けられる。第二アーム１４２は、第一アーム１４１よりも内側（左方）に配置される。
【００３７】
連結軸１４３は、第一アーム１４１と第二アーム１４２とを連結するものである。連結軸１４３は、第一アーム１４１の下端と第二アーム１４２の下端とを、互いに前後に回動可能となるように連結する。
【００３８】
なお、内倒し窓１３０の左右両側部には、連結部１４０を収容可能な空間である収容部（不図示）が形成される。内倒し窓１３０が閉じられた状態（図２参照）では、連結部１４０の大部分が当該収容部に収容される。前記収容部に収容された連結部１４０は、屋内側及び屋外側から視認し難くなる。また、左右の連結部１４０の間隔は、ブラインド２０（ボトムレール２３）の左右幅と同程度か、これよりも狭くなるように形成される。
【００３９】
以下では、図２から図４までを用いて、上述の如く構成された窓構造１００において、内倒し窓が開閉される様子について説明する。
【００４０】
図２に示すように、内倒し窓１３０が閉じられている状態においては、連結部１４０は折り畳まれた状態（第一アーム１４１と第二アーム１４２が長手方向を概ね同じ方向（上下方向）に向けた状態）で、当該内倒し窓１３０の側部（前記収容部）に収容されている。
【００４１】
内倒し窓１３０を開く（開放する）場合、図３に示すように、内倒し窓１３０がブラインド２０と干渉するのを避けるために、まずブラインド２０を上昇させる。
【００４２】
次に、内倒し窓１３０を前方に向かって傾斜（傾倒）させる。内倒し窓１３０が傾斜するにつれて、第一アーム１４１と第二アーム１４２が互いに広げられ、連結部１４０が前後方向に徐々に伸びる。
【００４３】
図４に示すように、連結部１４０が最大限伸びた状態、すなわち第一アーム１４１と第二アーム１４２とが一直線状になると、当該連結部１４０によって内倒し窓１３０の傾倒（開放の度合い）が規制される。これによって、内倒し窓１３０が所定の傾斜角度に保持される。このように内倒し窓１３０が開かれた状態では、無目１１３の下方の開口部分が開放され、屋内と屋外とが連通される。
【００４４】
なお、連結部１４０の各部の構成（第一アーム１４１及び第二アーム１４２の長さや位置等）を適宜設定することで、図４に示すように、内倒し窓１３０が開かれた状態において連結部１４０（第一アーム１４１及び第二アーム１４２）が略水平に延びるように設定されている。
【００４５】
このように内倒し窓１３０が開かれた状態では、連結部１４０は内倒し窓１３０の側部（前記収容部）から出現（露出）することになる。この状態では、第一アーム１４１の載置部１４１ｂは、上方に向けて開口した凹状となる。またこの状態では、載置部１４１ｂは内倒し窓１３０の上端部と略同一の高さに位置している。
【００４６】
また内倒し窓１３０が開かれた状態では、屋外からの空気を屋内に取り込んで当該屋内を換気または通風（以下、これらを総称して換気等と記載する。）することができる。この際、図４に示すように、無目１１３の下方の開口部分を介して屋外から流通してきた空気（風）は、傾斜した内倒し窓１３０に案内されて前斜め上方に向きを変える。当該空気は、そのまま前斜め上方に流通しながら屋内へと進入する。
【００４７】
このように、内倒し窓１３０を用いて屋内に進入する空気（風）の向きを斜め上方へと変化させることで、当該空気を屋内の人（例えば、着席して仕事をしている人）に直撃し難くすることができる。これによって、屋内の人の寒さや風圧による不快感を低減することができる。また、風を屋内の机等に置かれた物（例えば、書類）に直撃し難くすることができるため、当該物が飛散したり倒れたりするのを抑制することもできる。
【００４８】
なお、内倒し窓１３０を閉じる場合には、上述とは逆に当該内倒し窓１３０を後方に向かって回動させればよい。
【００４９】
次に、図５を用いて、内倒し窓１３０を開いたままブラインド２０を使用する様子について説明する。
【００５０】
内倒し窓１３０を開いたままブラインド２０を使用する場合、当該ブラインド２０を下降させる。この際、ブラインド２０の下端に設けられたボトムレール２３を、第一アーム１４１の載置部１４１ｂに載置する。具体的には、ボトムレール２３を、凹状に形成された載置部１４１ｂに嵌合させる。この際、左右の連結部１４０の間隔は、ボトムレール２３の左右幅と同程度か、これよりも狭くなっているため、当該ボトムレール２３の左右両端部近傍を、左右の連結部１４０の載置部１４１ｂにそれぞれ嵌合させることができる。これによって、ボトムレール２３の前後方向への移動が載置部１４１ｂによって規制される。
【００５１】
このように、ボトムレール２３が載置部１４１ｂに接するまでブラインド２０を下降させることで、当該ブラインド２０でＦＩＸ窓１２０を前方から覆うことができる。これによって、ＦＩＸ窓１２０からの光（日射）を遮ったり、目隠しをしたりすることができる。
【００５２】
またこの際、ボトムレール２３の前後方向への移動を載置部１４１ｂによって規制しているため、無目１１３の下方の開口部分を流通する空気（風）がブラインド２０に当った際の当該ブラインド２０の揺れを抑制することができる。これによって、ボトムレール２３が周囲の部材に当ったり、スラット２２が大きく揺れたりすることによる騒音の発生を抑制することができる。
【００５３】
特に本実施形態においては、載置部１４１ｂを、連結部１４０の後部に形成している。より具体的には、載置部１４１ｂは、前後に並んだ第一アーム１４１及び第二アーム１４２のうち、後側に配置された第一アーム１４１に形成されている。従って、載置部１４１ｂは、ブラインド２０（ボトムレール２３）を極力後方（ＦＩＸ窓１２０に近い位置）で保持することができる。これによって、当該ボトムレール２３と内倒し窓１３０との間の隙間、すなわち空気（風）が流通する経路の幅を広く確保することができ、風をブラインド２０に当りにくくすることができる。
【００５４】
このように、載置部１４１ｂは、できるだけＦＩＸ窓１２０に近い位置（内倒し窓１３０が傾倒する方向と反対側）に設けることが望ましい。好ましくは、載置部１４１ｂは、内倒し窓１３０を開いた状態において、連結部１４０（第一アーム１４１及び第二アーム１４２）の前後方向中央よりも後方に設けることが望ましい。
【００５５】
このように、内倒し窓１３０を開いた状態でブラインド２０の騒音の発生を抑制することで、屋内の快適性を向上させることができ、ひいては利用者に内倒し窓１３０の開放を促すことができる。これによって、空調（冷房）の使用頻度や負荷を減らすことができ、省エネを図ることができる。
【００５６】
以上の如く、本実施形態に係る窓構造１００は、
開口部１１に設けられた内倒し窓１３０（開閉窓）と、
内倒し窓１３０の開放に伴って出現するように形成され、開口部１１に設けられたブラインド２０（遮蔽手段）のボトムレール２３（下端部）と接触可能な載置部１４１ｂ（接触部）と、
を具備するものである。
【００５７】
このように構成することにより、ブラインド２０の揺れを抑制することができる。
また、内倒し窓１３０の開放に伴って載置部１４１ｂを出現させることで、別途操作を必要とせず、作業性を向上させることができる。また、意匠性を向上させることもできる。
【００５８】
また、載置部１４１ｂは、
ブラインド２０のボトムレール２３に対して下方から嵌合可能な凹状に形成されているものである。
【００５９】
このように構成することにより、ブラインド２０の揺れを効果的に抑制することができる。
【００６０】
また、内倒し窓１３０は、
開口部１１における下部に設けられているものである。
【００６１】
このように構成することにより、開口部１１の上部をブラインド２０で覆いながら、内倒し窓１３０を開放することができる。
これによって、ブラインド２０による遮光や目隠しと、内倒し窓１３０を開放することによる換気等を両立させることができる。
【００６２】
また、載置部１４１ｂは、
開放された内倒し窓１３０の上端部と略同一の高さに形成されているものである。
【００６３】
このように構成することにより、ブラインド２０の揺れを効果的に抑制することができる。
すなわち、載置部１４１ｂと接するブラインド２０の下端部（ボトムレール２３）の下方に、空気（風）が流通する経路を広く確保することができ、当該風がブラインド２０に当り難くすることができる。
【００６４】
また、窓構造１００は、
開口部１１に設けられた窓枠１１０と、
内倒し窓１３０と窓枠１１０とを連結すると共に内倒し窓１３０の開放の度合いを規制する連結部１４０と、
をさらに具備し、
載置部１４１ｂは、
連結部１４０に形成されているものである。
【００６５】
このように構成することにより、連結部１４０を用いて載置部１４１ｂを形成することで、部品の兼用を図ることができ、ひいてはコストの削減を図ることができる。
また、連結部１４０を用いて載置部１４１ｂを形成することで、意匠性を向上させることもできる。また、載置部１４１ｂを形成するために無目１１３や方立には特殊な施工（設計）をする必要がないため、製造コストの削減を図ることができる。
【００６６】
また、前記開閉窓は、
内倒し窓１３０である。
【００６７】
このように構成することにより、進入してくる空気の流れを斜め上方に向けることができ、屋内の快適性を向上させることができる。
すなわち、空気の流れを斜め上方に向けることで、当該空気が屋内の人や物に直撃し難くすることができ、ひいては屋内の快適性を向上させることができる。
【００６８】
なお、本実施形態に係る内倒し窓１３０は、開閉窓の実施の一形態である。
また、本実施形態に係るブラインド２０は、遮蔽手段の実施の一形態である。
また、本実施形態に係るボトムレール２３は、遮蔽手段の下端部の実施の一形態である。
また、本実施形態に係る載置部１４１ｂは、接触部の実施の一形態である。
【００６９】
以上、本発明の一実施形態を説明したが、本発明は上記構成に限定されるものではなく、特許請求の範囲に記載された発明の範囲内で種々の変更が可能である。
【００７０】
例えば、窓構造１００は、オフィスビルに限らず、住宅や病院、学校等に適用することも可能である。
【００７１】
また、ブラインド２０（ベネシャンブラインド）に代えて、例えばロールスクリーンやプリーツスクリーン等を用いることも可能である。またこれらに限らず、下端部にボトムレール２３（ボトムバー）、すなわち載置部１４１ｂと接触可能な部分を備えた種々の遮蔽手段を用いることが可能である。
【００７２】
また、本実施形態においては、ＦＩＸ窓１２０及び内倒し窓１３０の全体を前方から覆うことが可能な１つのブラインド２０を用いる場合を想定して説明を行ったが、例えば、左右に複数のブラインド２０を並べて、当該複数のブラインド２０によってＦＩＸ窓１２０及び内倒し窓１３０の全体を覆うように構成することも可能である。この場合、複数のブラインド２０のボトムレール２３がそれぞれ載置部１４１ｂと接触可能となるように連結部１４０を構成することが望ましい。
【００７３】
また、内倒し窓１３０を開いたままブラインド２０を使用する場合には、当該内倒し窓１３０をブラインド２０で覆うことはできない（図５参照）。よって、内倒し窓１３０に熱線反射ガラスを用いたり、別途庇を設けたりしても良い。
【００７４】
また、上記実施形態においては、内倒し窓１３０を例に挙げて説明したが、その他の種々の開閉窓（すべり出し窓、突出し窓、外倒し窓等）を用いることも可能である。
【００７５】
また、上記実施形態においては、内倒し窓１３０の上方にはＦＩＸ窓１２０を設けるものとしたが、開閉窓を設けることも可能である。
【００７６】
また、上記実施形態においては、窓枠１１０に２つの窓（ＦＩＸ窓１２０及び内倒し窓１３０）を設けるものとしたが、窓の個数はこれに限定するものではなく、任意の個数の窓を設けることが可能である。
【００７７】
また、内倒し窓１３０の大きさ（窓枠１１０全体に対して内倒し窓１３０が占める割合）や形状は上記実施形態に限定するものではない。但し、内倒し窓１３０を開いた状態でブラインド２０を利用する際に、当該ブラインド２０によってできるだけ広い範囲を覆うことができるように、内倒し窓１３０の上下幅はある程度小さくすることが望ましい。
【００７８】
また、上記実施形態においては、窓枠１１０と内倒し窓１３０とを連結する連結部１４０として、２つのアーム（第一アーム１４１及び第二アーム１４２）を具備するものを例示したが、連結部１４０はこれに限らず任意の構成とすることが可能である。例えば、１本のアームにより構成されるものや、アームに加えてスライドレールを用いるものであってもよい。
【００７９】
また、上記実施形態においては、内倒し窓１３０が開かれた状態において、連結部１４０は略水平に延びるように構成されているものとしたが、連結部１４０は必ずしも水平でなくてもよく、多少傾斜していてもよい。
【００８０】
また、ブラインド２０のボトムレール２３と、載置部１４１ｂとを、磁石の磁力により互いに吸着させる構成とすることも可能である。これにより、ブラインド２０の揺れをより効果的に抑制することができる。
【００８１】
また、上記実施形態においては、載置部１４１ｂは連結部１４０に設けられるものとしたが、内倒し窓１３０の開放に伴って出現するように構成された他の部材に設ける構成とすることも可能である。
【００８２】
また、上記実施形態においては、載置部１４１ｂを、ボトムレール２３に嵌合可能な凹状に形成するものとしたが、単なる平面状（直線状）に形成することも可能である。この場合、ボトムレール２３が載置部１４１ｂと嵌合することはないが、当該載置部１４１ｂに接触させることでブラインド２０の揺れを抑制することができる。
【００８３】
また、図６に示す変形例のように、載置部１４１ｂを、前後方向に幅広い曲面状（凹状）に形成することも可能である。これによって、ブラインド２０の取り付け位置が前後方向に多少ずれた場合であっても当該ブラインド２０を載置部１４１ｂに載置することができる。従って、様々な建物（ブラインド）に窓構造１００を適用することができる。
【符号の説明】
【００８４】
１０      壁面
１１      開口部
２０      ブラインド
２３      ボトムレール
１００    窓構造
１１０    窓枠
１２０    ＦＩＸ窓
１３０    内倒し窓
１４０    連結部
１４１    第一アーム
１４２    第二アーム
１４１ｂ  載置部
【図１】
2017066633.tif 000003
【図２】
2017066633.tif 000004
【図３】
2017066633.tif 000005
【図４】
2017066633.tif 000006
【図５】
2017066633.tif 000007
【図６】
2017066633.tif 000008